(57)【特許請求の範囲】
【請求項１】
上面部にタッチパネル式表示部が設けられた機器本体と、
この機器本体内に設けられた情報入力用のキー操作部と、
このキー操作部を前記機器本体から水平状態、或いは起立状態で取り出す取出手段と、
前記機器本体の側面部に設けられた開口部を開閉する開閉蓋と、を具備し、
前記キー操作部は、前記開閉蓋の内面側に保持され、
前記取出手段は、前記開閉蓋の開放動作に基づいて前記キー操作部を前記機器本体の開口部から水平な状態で取り出す
ことを特徴とするＰＯＳ端末。
【請求項２】
前記開閉蓋は、開放されたのち前記機器本体内に向かって所定距離移動されることにより、前記キー操作部の一部を前記機器本体内に位置させることを特徴とする請求項１記載のＰＯＳ端末。
【請求項３】
前記開閉蓋は、開放されたのち前記機器本体内で起立するように移動され、前記キー操作部を全面的に前記開口部に臨ませることを特徴とする請求項１記載のＰＯＳ端末。
【発明の詳細な説明】
【技術分野】
【０００１】
この発明の実施の形態は、ＰＯＳ端末に関する。
【背景技術】
【０００２】
電子機器、例えば、ＰＯＳ（Point of Sales）端末には、顧客がキャッシュカードで支払いをする際に、暗証番号などを入力するためのキーパッド（キー操作部）を備えるものがある。
【０００３】
しかしながら、従来においては、キーパッドを設置するためのスペースをＰＯＳ端末の設置スペースとは別に必要としていたため、省スペース化を図ることができないという問題があった。
【先行技術文献】
【特許文献】
【０００４】
【特許文献１】特開平４−１１３４１０号公報
【発明の概要】
【発明が解決しようとする課題】
【０００５】
解決しようとする課題は、キー操作部の設置スペースを専用に必要とすることなく、設置できるようにしたＰＯＳ端末を提供することにある。
【課題を解決するための手段】
【０００６】
上記課題を解決するため、実施の形態のＰＯＳ端末は、上面部にタッチパネル式表示部が設けられた機器本体と、この機器本体内に設けられた情報入力用のキー操作部と、このキー操作部を前記機器本体から水平状態、或いは起立状態で取り出す取出手段と、前記機器本体の側面部に設けられた開口部を開閉する開閉蓋と、を具備し、前記キー操作部は、前記開閉蓋の内面側に保持され、前記取出手段は、前記開閉蓋の開放動作に基づいて前記キー操作部を前記機器本体の開口部から水平な状態で取り出す。
【図面の簡単な説明】
【０００７】
【図１】第１の実施形態であるＰＯＳ端末を示す斜視図。
【図２】図１の開閉蓋を開放してキーパッドを取り出した状態を示す斜視図。
【図３】図１のＰＯＳ端末を一部破断して示す側面図。
【図４】図３の開閉蓋の駆動系を示すブロック図。
【図５】図３の開閉蓋が開放された状態を示す側面図。
【図６】第２の実施形態であるＰＯＳ端末を一部破断して示す側面図。
【図７】第３の実施形態であるＰＯＳ端末を一部破断して示す側面図。
【発明を実施するための形態】
【０００８】
以下、実施の形態について図面を参照して説明する。
【０００９】
（第１の実施形態）
図１は、第１の実施形態である電子機器としてのＰＯＳ端末を示す外観斜視図である。
【００１０】
ＰＯＳ端末は機器本体１を備え、この機器本体１の上面部は傾斜面となっており、この傾斜する上面部にタッチパネル式表示部２が設けられている。
【００１１】
このタッチパネル式の表示部２はその上部側がチルト機構（図示しない）を介して回動自在に支持されている。タッチパネル式表示部２は、機器本体１の上面部に沿って倒れる状態、或いは、チルト機構を中心に回動されて起立する状態に姿勢が切り替えられるようになっている。
【００１２】
即ち、タッチパネル式表示部２は、店員によって使用される場合には、機器本体１の上面部に沿って倒れる状態、顧客によって使用される場合には、起立する状態に切り替えられる。
【００１３】
なお、タッチパネル式表示部２が所定角度以上開放された場合には、タッチパネル式表示部２に表示される画像の上下が反転され、店員にとっても顧客にとっても画面の表示内容が読み取り易くなっている。
【００１４】
ところで、機器本体１の顧客側の壁面部には開口部４が形成され、この開口部４は取出手段としての開閉蓋５によって開閉されるようになっている。そして、開閉蓋５の内面側には、図２に示すように、顧客が情報を入力するためのテンキー７ａを有するキーパッド７（キー操作部）が一体的に保持されている。
【００１５】
開閉蓋５は、図３に示すように、その下部側が支軸６を介して回動自在に支持され、支軸６を中心として回動されることにより開口部４を開閉してキーパッド７を出入させるようになっている。
【００１６】
図４は、開閉蓋５の駆動系を示すものである。
【００１７】
即ち、タッチパネル式表示部２には操作ボタン９が設けられ、この操作ボタン９には制御部１０を介して開閉蓋５の駆動機構１１が接続されている。
【００１８】
操作ボタン９が押圧操作されると、制御部１０は駆動機構１１を動作させて開閉蓋５を回動させて開閉させるようになっている。
【００１９】
次に、顧客にキーパッド７を使用させる場合について説明する。
【００２０】
この場合には、店員はタッチパネル式表示部２に表示される操作ボタン９を押圧操作する。この押圧操作により、制御部１０は駆動機構１１を動作させて図５に示すように開閉蓋５を支軸６を中心に矢印ａで示すように、顧客側に向かって回動させて水平状態にする。これにより、キーパッド７が顧客に対し水平な状態で提示される。顧客はこの提示されたキーパッド７のテンキー７ａを押圧操作して所望する情報（暗証番号など）を入力する。
【００２１】
顧客による情報の入力が終了すると、店員は、再度、タッチパネル式表示部２の操作ボタン９を押圧操作する。この押圧操作により、制御部１０は駆動機構１１を動作させて開閉蓋５を支軸６を中心に矢印ｂ方向に回動させて図３に示すように開口部４を閉塞し、キーパッド７を機器本体１内に格納する。
【００２２】
この実施の形態によれば、機器本体１内に格納したキーパッド７を開閉蓋５の開閉により出入するため、機器本体１の外部にキーパッド７の設置スペースを別途特別に必要とすることがなく、省スペース化が可能になる。
【００２３】
（第２の実施形態）
図６は第２の実施形態を示すものである。
【００２４】
なお、上記した第１の実施形態で示した部分と同一部分については、同一番号を付してその説明を省略する。
【００２５】
上記した第１の実施形態では、開閉蓋５を単に開放することにより、キーパッド７を水平な状態で顧客に提示したが、この第２の実施形態では、第１の実施形態と同様に開閉蓋５の開放によりキーパッド７を水平な状態で提示したのち、駆動機構１１をさらに動作させて、矢印Ｃで示すように、開閉蓋５を水平状態のまま後退させてキーパッド７の一部を機器本体１内に位置させている。
【００２６】
この第２の実施の形態によれば、キーパッド７に向かう他人の視線を機器本体１の側壁部により遮蔽することができ、顧客が入力する暗証番号などが盗み見されることなく、セキュリティ性を向上できる利点がある。
【００２７】
（第３の実施形態）
図７は第３の実施形態を示すものである。
【００２８】
なお、上記した第１の実施形態で示した部分と同一部分については、同一番号を付してその説明を省略する。
【００２９】
上記した第１の実施形態では、開閉蓋５を単に開放することにより、キーパッド７を水平な状態で顧客に提示したが、この第３の実施形態では、第１の実施形態と同様に開閉蓋５の開放によりキーパッド７を水平な状態で提示したのち、駆動機構１１をさらに動作させて、開閉蓋５を矢印で示すように、斜め上方に向かって移動させてキーパッド７をそのテンキー７ａが機器本体１の開口部４に臨むように起立させている。
【００３０】
この第３の実施の形態によれば、キーパッド７に対する顧客の視認性が良くなり、テンキー７ａの操作性を向上できる利点がある。
【００３１】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【符号の説明】
【００３２】
１…機器本体、４…開口部、５…開閉蓋（取出手段）、７…キーパッド（キー操作部）。
【図１】
0005622765.tif 000002
【図２】
0005622765.tif 000003
【図３】
0005622765.tif 000004
【図４】
0005622765.tif 000005
【図５】
0005622765.tif 000006
【図６】
0005622765.tif 000007
【図７】
0005622765.tif 000008